(57)【要約】【課題】潤滑オイルを混入された被圧縮流体を圧縮する圧縮機の起動時における潤滑不良の問題を改善する。【解決手段】被圧縮流体に潤滑オイルを混入して、その潤滑オイルによって摺動部分等を潤滑する圧縮機においては、停止中に摺動部分等から潤滑オイルが流出すると、起動後の短時間内は潤滑不良となる恐れがある。そこで、薄肉の外壁３７のような冷却手段を有するオイル溜め室３６と、被圧縮流体の吸入側の経路の一部（斜板型圧縮機の場合は斜板室２２）とを通路４０を介して接続する。圧縮機１の運転中に潤滑オイルがオイル溜め室３６に貯留されるが、オイル溜め室３６は冷却されているため、貯留された潤滑オイルには多量の被圧縮流体が溶存している。再起動時には貯留された潤滑オイルがフォーミング状態となり、体積が増大して吸入側の経路へ吹き出して短時間だけ潤滑作用をする。【選択図】      図１
2004308629.tif 000002
【特許請求の範囲】
【請求項１】
被圧縮流体に混入されて内部を流れる潤滑オイルの一部を、運転中に前記被圧縮流体の一部が溶存している状態で貯留するために、作動室へ吸入される前記被圧縮流体及び前記潤滑オイルの吸入側の流れの経路から外れた位置に先の閉じた空間として形成されたオイル溜め室と、該オイル溜め室を周辺の他の部分よりも急速に冷却するための冷却手段と、前記オイル溜め室と前記吸入側の流れの経路とを連通する通路とを備えていることを特徴とする圧縮機。
【請求項２】
請求項１において、前記冷却手段として前記オイル溜め室の外壁が比較的に薄肉となっていることを特徴とする圧縮機。
【請求項３】
請求項１又は２において、前記被圧縮流体が冷媒であって、それ自体が空調装置の冷凍サイクルにおける冷媒圧縮機として使用されていることを特徴とする圧縮機。
【請求項４】
請求項３において、それ自体が斜板型圧縮機であることを特徴とする圧縮機。
【請求項５】
請求項４において、斜板を収容している斜板室が前記被圧縮流体及び前記潤滑オイルの前記吸入側の流れの経路の一部となっていると共に、前記オイル溜め室が前記通路を介して前記斜板室に常時連通していることを特徴とする圧縮機。
【発明の詳細な説明】
【０００１】
【発明の属する技術分野】
本発明は斜板型圧縮機のような圧縮機に係り、特に、空調装置において冷媒を圧縮する圧縮機に適した潤滑システムに関するものである。
【０００２】
【従来の技術】
空調装置の冷凍サイクルにおいては、冷媒圧縮機の摺動部分を潤滑するために冷媒に冷凍機油のようなオイルを混入させておくと共に、蒸発器から戻ってくる冷媒が摺動部分を通過するように構成して、戻り冷媒に含まれているオイルによって摺動部分を潤滑するのが普通である。このような構成の圧縮機においては、運転を停止している間にオイルが重力によって流下して圧縮機の底部に溜まるために、潤滑の必要な摺動部分ではオイルが欠乏した状態になると共に、冷凍サイクルの低部の配管には、冷却されて液状となった冷媒が溜まった状態になる。このような状態において圧縮機の運転が再開されると、最初の数秒間という短い期間ではあるが、オイルが欠乏した状態の摺動部分を更に液状の戻り冷媒が洗浄することになって、摺動部分の潤滑状態が悪化するという問題がある。
【０００３】
この問題の対策として、従来は、圧縮機における冷媒の入口部分に空間としてのオイル溜まりを形成して、運転中にその中にオイルを溜めることにより、起動時にこのオイルによって潤滑を助けるようにしている。しかしながら、このようなオイル溜まりを設けても、冷凍サイクルに通常の量だけオイルを封入した場合にはオイル溜まりに溜まるオイルの量が少ないので、起動時のオイル不足の問題を解消することができない。そこで、冷凍サイクルに封入するオイルの量を増加させる必要が生じるため、コストの上昇や圧縮機の体格が大きくなるという別の問題を招くことになる。
【０００４】
【発明が解決しようとする課題】
本発明は、従来技術における前述のような問題に鑑み、新規な手段によってその問題を解消することを目的としている。
【０００５】
【課題を解決するための手段】
本発明は、この課題を解決するための手段として、特許請求の範囲の請求項１に記載された圧縮機を提供する。
【０００６】
本発明の圧縮機は、被圧縮流体に混入されて循環する潤滑オイルの一部を運転中に被圧縮流体の一部が溶存している状態で貯留するために、作動室へ吸入される被圧縮流体及び潤滑オイルの吸入側の流れの経路から外れた位置に、先の閉じた空間として形成されたオイル溜め室と、オイル溜め室を周辺の他の部分よりも急速に冷却するための冷却手段と、このオイル溜め室と吸入側の経路とを連通する通路とを備えている点に特徴がある。
【０００７】
従って、圧縮機の運転中に、被圧縮流体に混入して圧縮機の内部を流れる潤滑オイルの一部が分離し、吸入側の流れの経路から外れて先の閉じた空間として形成されているオイル溜め室内に貯留される。オイル溜め室は何らかの冷却手段によって周辺の他の部分よりも強く冷却されるので、オイル溜め室内に容易に潤滑オイルが貯留されるだけでなく、オイル溜め室内に貯留された潤滑オイルには可及的に多量の飽和状態における被圧縮流体が溶存している。
【０００８】
この状態で圧縮機が停止し、且つ再起動されると、吸入側の流れの経路には作動室への被圧縮流体の吸入による負圧が作用するから、この経路に連通しているオイル溜め室も負圧となる。そのために、オイル溜め室に貯留されていた潤滑オイルから、それに溶存していた被圧縮流体が急激に蒸発し、潤滑オイルがフォーミング（発泡）状態となって体積が急増するため、フォーミング状態の潤滑オイルは膨張しながら通路を通って吸入側の流れの経路へ押し出される。このフォーミング状態の潤滑オイルが再起動直後の潤滑に役立つので、定常運転の状態になるまでに圧縮機の摺動部分等が潤滑不良となるのを防止することができる。
【０００９】
オイル溜め室の冷却手段の一つとして、オイル溜め室が外気と接触する外壁を比較的に薄肉にすることができる。それによって冷却手段の構成がきわめて簡単になり、オイル溜め室が潤滑オイルを貯留する時に、貯留された潤滑オイルが外気によって直ちに冷却される。いずれにしても、オイル溜め室に冷却手段を設けることによって、オイル溜め室に貯留される潤滑オイルに溶存する被圧縮流体の量が増加し、再起動時にフォーミング状態となる潤滑オイルと冷媒の体積が大きくなり、吸入側の流れの経路へ押し出される潤滑オイルの量が増大する。
【００１０】
本発明の圧縮機の好適な用途の一つとして冷媒圧縮機を挙げることができる。また、本発明の圧縮機の好適な形式の一つとしては斜板型圧縮機を挙げることができる。本発明が斜板型の冷媒圧縮機に適用された場合に、斜板を収容している斜板室を吸入側の流れの経路の一部とすることができ、斜板室が常時通路を介してオイル溜め室と連通しているように構成することが望ましい。
【００１１】
【発明の実施の形態】
次に、添付の図面を参照しながら、本発明の好適な実施例を詳細に説明する。図示実施例は本発明を斜板型の冷媒圧縮機に適用した場合を示している。図１及び図２に示すように、斜板型の冷媒圧縮機１は中心部に駆動のためのシャフト２を備えている。シャフト２はその端部に設けられた電磁クラッチ３と、その外周部に形成されたプーリ４と、それに巻き掛けられる図示しないベルト等を介して自動車の内燃機関等によって回転駆動される。このシャフト２を中心として、フロントハウジング５、フロントバルブプレート６、フロントシリンダ７、リヤシリンダ８、リヤバルブプレート９、リヤハウジング１０等を順に軸方向に重ね合わせて、ボルト１１等によって相互に一体的に結合することにより圧縮機１の外殻部分が構成される。
【００１２】
シャフト２がフロントハウジング５を貫通する部分にはシャフトシール１２が設けられる。フロントシリンダ７がシャフト２を軸支する部分にはラジアルベアリング１３が設けられ、リヤシリンダ８がシャフト２を軸支する部分にはラジアルベアリング１４が設けられる。１５は概ね円板状の斜板であって、シャフト２と一体的に回転するように結合されており、軸方向のボス部の前後面はフロントシリンダ７及びリヤシリンダ８によって支持されるスラストベアリング１６及び１７によって軸方向に軸支されている。
【００１３】
フロントシリンダ７及びリヤシリンダ８の対向位置には、図２に示すように、それぞれ５個のシリンダボア１８及び１９がシャフト２の周囲に均等配置で形成されている。勿論、シリンダボア１８及び１９の数はそれぞれ４個或いは６個のように５個以外の数であってもよい。対になって対向しているシリンダボア１８及び１９に跨って、それぞれ双頭のピストン２０が軸方向に摺動可能に挿入される。ピストン２０はそれぞれ長手方向（軸方向）の中央の切り欠き部分に相互に対向する半球形の窪みを有し、それらの窪みに挿入された一対の半球形のシュー２１を介して斜板１５の周縁部を挟むように摺動可能に接触することにより、斜板１５が回転した時に軸方向に往復運動を受ける。斜板１５に対してシュー２１が摩擦接触した状態で摺動するので、この摺動部分の潤滑が問題になる。
【００１４】
フロントシリンダ７とリヤシリンダ８の内部にはシリンダボア１８及び１９の他に空間として斜板室２２が形成される。斜板室２２の形状は斜板１５の回転と共に５個のピストン２０が往復運動をすることによって変化を繰り返すが、斜板室２２は概ね一定の容積を有するものとして常に斜板１５の周りに形成される。斜板室２２は圧縮機１によって圧縮される冷媒（一般的には被圧縮流体）の入口側通路の一部となっているので、冷媒に予め冷凍機油のような潤滑オイルを混合して冷凍サイクルに封入しておくことにより、潤滑オイルを含む戻り冷媒が斜板室２２を通過する時に、オイルの一部が冷媒から分離して斜板１５とシュー２１との摺動接触部分や、シリンダボア１８及び１９とピストン２０との間の摺動部分、或いはベアリング１３，１４，１６，１７等を潤滑する。
【００１５】
フロントハウジング５の後端面とフロントシリンダ７の前端面との間に挟み込まれたフロントバルブプレート６と、リヤシリンダ８の後端面とリヤハウジング１０との間に挟み込まれたリヤバルブプレート９は概ね対称的な形状を有する。また、フロントハウジング５とリヤハウジング１０の構造も概ね対称的である。そこで、代表としてリヤバルブプレート９とリヤハウジング１０の組立体を取り上げて説明するが、フロントハウジング５とフロントバルブプレート６の組立体についても概ね同様なことが言える。
【００１６】
リヤハウジング１０の周縁部寄りの一部には空間として吸入室２３が形成されると共に、それとの間に隔壁を挟んで他の部分には吐出室２４が形成される。吸入室２３とシリンダボア１９とを連通させ得るようにリヤバルブプレート９に形成された吸入ポート２５には、シリンダボア１９側の面に吸入弁としてサクションリード２６が設けられる。これに対して、吐出室２４とシリンダボア１９とを連通させ得るようにリヤバルブプレート９に形成された吐出ポート２７には、吐出室２４の側に吐出弁としてディスチャージリード２８が設けられる。フロント側のバルブプレート６でも同様な構造となっている。
【００１７】
前後の吸入室は相互に、また、前後の吐出室も相互に、それぞれ軸方向の通路によって連通している。これらの連通通路はフロントハウジング５とリヤシリンダ８を貫通して連続するように形成される。図示実施例において、リヤ側の吸入室２３と図示しないフロント側の吸入室とを接続する連通通路２９は、図２に示すように３本ある。それら３本の連通通路２９は軸方向の中間部分においていずれも斜板室２２に開放されている。従って、吸入室２３によって代表される前後の吸入室は、いずれも斜板室２２に連通している。前後の吐出室もまた軸方向の通路によって相互に連通している。図示実施例では、リヤ側の吐出室２４とフロント側の吐出室３０との間を連通させる軸方向の連通通路３１は太いが、ハウジングの上部に１本だけ設けられている。
【００１８】
この圧縮機１は空調装置に適用され、その冷凍サイクルの一部を構成する冷媒圧縮機として使用されるので、圧縮機１には図３に示すような冷凍サイクルの残余の部分が接続される。図３において、３２は凝縮器であって、圧縮機１によって圧縮された冷媒がこの凝縮器３２において外気等によって冷却されて凝縮、液化する。３３は気液分離器であって、凝縮器３２によって液化した冷媒を液化しない冷媒から分離する。３４は膨張弁である。液化した冷媒は膨張弁３４を通過することによって減圧され、蒸発器３５の中で膨張して気化する。その際に、蒸発器３５を通過する室内空気等を冷却して冷房作用をする。
【００１９】
図３に示す冷凍サイクルの蒸発器３５の出口は圧縮機１の斜板室２２に接続されている。従って、蒸発器３５において冷房作用をした後の圧縮機１への戻り冷媒がまず斜板室２２へ流入し、３本の連通通路２９を経て前後の吸入室２３へ供給される。戻り冷媒が斜板室２２を通過するので、戻り冷媒に含まれている冷凍機油のような潤滑オイルが斜板室２２内にある潤滑を必要とする部分に供給されて潤滑作用をする。潤滑を必要とする部分とは、斜板１５とシュー２１との摺動接触面、シリンダボア１８及び１９とピストン２０の摺動面、ベアリング１３，１４，１６，１７の転動部分等である。しかしながら、このような潤滑作用が圧縮機１の起動直後には十分に行われないことは前述のとおりである。
【００２０】
本発明の圧縮機の基本的な構造と作用は前述のような従来の圧縮機と同様であるが、本発明の特徴に対応して、図示実施例の圧縮機１は、まず、リヤハウジング１０内の中心部にオイル溜め室３６と呼ぶ空間を備えている。オイル溜め室３６の周辺の構造を図４に拡大して示す。オイル溜め室３６の外壁３７は、それ以外のリヤハウジング１０内の吸入室２３や吐出室２４等の外壁と比べて熱を伝え易いように薄肉となっている。薄肉の外壁３７はオイル溜め室３６の冷却手段となるものであるが、これに代わるものとして、他の積極的な冷却手段をオイル溜め室３６に設けることも可能である。リヤバルブプレート９の中心部に開口３８が設けられることによって、オイル溜め室３６がリヤシリンダ８内においてシャフト２の後端部に形成される空間３９と連通している。
【００２１】
なお、図４において、参照符号２６は後述のサクションリードを、同じく２８はディスチャージリードを、４９はリヤバルブプレート９とリヤハウジング１０との間に挟み込まれた金属製のガスケットを、５０はガスケット４９の表面に施されたゴムのコーティングをそれぞれ示している。
【００２２】
図２に示したように、シャフト２の周囲にはそれと平行にリヤシリンダ８を軸方向に貫通する５本の通路４０が穿孔されて、それらの後端が空間３９に連通している。そのために、それぞれの通路４０の後端においてリヤバルブプレート９の表面に近いリヤシリンダ８の一部に切り欠き通路４２が設けられている。従って、オイル溜め室３６はリヤバルブプレート９の開口３８と、リヤシリンダ８内の空間３９と、切り欠き通路４２及び軸方向の通路４０とを介して、斜板室２２に常時連通している。しかしながら、オイル溜め室３６は先の閉じた空間であって、開口３８以外に出入口は設けられていない。
【００２３】
軸方向に設けられた５本の通路４０のうち、上部にある２本の通路４０の後端には樋のようなオイルガイド４１が設けられている。オイルガイド４１はリヤバルブプレート９の開口３８を通過して、オイルをオイル溜め室３６内へ導く作用をする。また、それら上部にある２本の通路４０の前端付近において、図２に示すように、リヤシリンダ８の前面には上方に向かって開くオイル受け溝４３が形成されていて、上部のシリンダボア１９ａから流出するオイルを集めるようになっている。集められたオイルは、図７に示したように、スラストベアリング１７のリヤ側のレース１７ａを堰として形成される溝のようなオイル回収通路４４によって案内されて、上部の２本の軸方向通路４０へ流入することができる。
【００２４】
実施例の斜板型の冷媒圧縮機１はこのように構成されているから、シャフト２が電磁クラッチ３を介して、車両に搭載された内燃機関のような動力源によって回転駆動されると、斜板１５が回転と共に揺動運動をするために、５本のピストン２０がシリンダボア１８及び１９内で往復運動をする。それによって拡大して負圧となるシリンダボア１８及び１９内の作動室には、リヤ側の吸入室２３及び図示しないフロント側の吸入室にある冷媒が、バルブプレート６及び９に形成された吸入ポート２５のサクションリード２６を押し開いて吸入される。そして、作動室が縮小して高圧となる時に、加圧された冷媒が吐出ポート２７のディスチャージリード２８を押し開いて前後の吐出室２４及び３０へ吐出され、更に連通通路３１を通過することにより合流して冷凍サイクルの凝縮器３２へ送られる。
【００２５】
このようにして、リヤ側の吸入室２３及び図示しないフロント側の吸入室内の冷媒がシリンダボア１８及び１９内の作動室へ吸入され、圧縮されて吐出されることによって前後の吸入室２３等が負圧になるから、連通通路２９によって連通している斜板室２２も負圧となる。それによって、冷凍サイクルの蒸発器３５において膨張して冷房作用を終えた低圧の戻り冷媒が斜板室２２へ吸入され、連通通路２９を通って前後の吸入室２３等へ供給され、前述のようにして作動室内へ吸入されて圧縮される。このような作動は前述の従来の圧縮機と同様に行われるので、本発明の実施例である圧縮機１に特有のものではない。
【００２６】
ピストン２０がシリンダボア１８及び１９内において往復運動をして冷媒を圧縮する時に、予め冷媒に混合されている冷凍機油のような潤滑オイルが冷媒から分離して、ピストン２０とシリンダボア１８及び１９との摺動面を潤滑するが、この摺動面には僅かな隙間があるから、作動室内が高圧になると加圧された冷媒の一部が隙間を通って低圧の斜板室２２へ漏れ出る。通常、これをブロ―バイガスという。ブロ―バイガスと共に、冷媒に混入されていたオイルの一部も斜板室２２へ押し出されることになる。この状態が図５に拡大して示されている。押し出されたオイルを参照符号４５によって示す。
【００２７】
双頭のピストン２０に形成された２つの頭部のスカート部２０ａによってブロ―バイガスと共にオイル４５が斜板室２２へ押し出されると、図示実施例の圧縮機１においては特別の構造としてオイル受け溝４３や軸方向の通路４０、更にリヤハウジング１０内のオイル溜め室３６等が設けられているから、押し出されたオイル４５はオイル受け溝４３によってオイル回収通路４４へ集められ、図６に示したように、５本あるうちの上部２本の軸方向の通路４０と、切り欠き通路４２及びリヤバルブプレート９の開口３８を通ってオイル溜め室３６へ流入する。この時にオイルガイド４１が、流れるオイル４６を案内してオイル溜め室３６内へ確実に流入させる。このようにしてオイル溜め室３６に溜まった潤滑オイルを参照符号４７によって示す。
【００２８】
なお、オイル溜め室３６内に溜まったオイル４７のレベルがリヤバルブプレート９に形成された開口３８の下部の高さに達すると、空間３９内へオーバーフローするので、それ以上はオイル溜め室３６内のオイル量が増加しない。従って、圧縮機１の運転状態においては、押し出されたオイル４５がオイル溜め室３６へ流入するオイル４６となって、一定量のオイルがオイル溜め室３６に常に溜まっている。なお、オイル溜め室３６から空間３９へオーバーフローしたオイルは、ラジアルベアリング１４等を潤滑してから斜板室２２へ流れ、斜板室２２内に臨んでいる色々な摺動面を潤滑する。
【００２９】
このようにして、圧縮機１においては運転中にオイル溜め室３６に常に一定量のオイルが溜まっており、圧縮機１が運転を停止した後にもオイル溜め室３６に一定量のオイルが保持されている。オイル溜め室３６の外壁３７が比較的に薄肉となっているので、オイル溜め室３６へ流入したオイルは、図８に矢印ａによって示す外気により直ちに冷却される。そのために、オイル溜め室３６内に溜まったオイル４７には比較的に多量の冷媒が溶け込んでいる。
【００３０】
圧縮機１の定常的な運転中には、冷媒が斜板室２２を通過して流れる間に、冷媒に混入されていた潤滑オイルが分離して潤滑を必要とする摺動面等へ供給されるので、斜板室２２に臨んでいる摺動面等が潤滑不良になることはないが、圧縮機１が停止すると、前述の従来の圧縮機と同様に、摺動面等を潤滑していたオイルが、圧縮機１が停止している間に重力によって斜板室２２の底部等へ流下するために、次に、圧縮機１が再起動されると、特別の対策が講じられていない場合には、短時間ではあっても摺動面の潤滑状態が不良となる恐れがある。しかし、図示実施例の圧縮機１においては、オイル溜め室３６に保持されている一定量のオイルが次のように作用して潤滑不良を回避することができる。
【００３１】
即ち、圧縮機１においては、特別の構成としてオイル溜め室３６を設けて、その中に一定量の潤滑オイルを保持しており、しかもオイル溜め室３６の外壁３７は薄肉となっているために、貯留されたオイルが外気によって直ちに冷却される結果、貯留されたオイルには多量の冷媒が溶け込んでいる。
【００３２】
圧縮機１が再起動されると、前後の吸入室２３等に常時連通している斜板室２２及びオイル溜め室３６は直ちに減圧されて低圧となる。そのために、オイル溜め室３６内に貯留されたオイルから冷媒が泡立つように急激に蒸発してフォーミング状態となる。フォーミングが始まった状態を図８に示す。フォーミング状態にある冷媒とオイルを参照符号４８によって示している。このようにして、オイル溜め室３６内のオイルは泡状になって体積が急増するので、図９に示したように、フォーミング状態のオイルと冷媒が短時間内にオイル溜め室３６を満たすだけでなく、それから５本の軸方向通路４０を通って斜板室２２内へ吹き出す。
【００３３】
フォーミング状態のオイルと冷媒４８は急激に膨張するので、圧縮機１の再起動がなされた後の短時間内に斜板１５とシュー２１との摺動面や、ピストン２０とシリンダボア１８及び１９との摺動面、更に、ベアリング１３，１４，１６，１７の転動面等へ到達し、それらを応急的に潤滑する。この時期に液状となる戻り冷媒によって摺動面等が洗われても、フォーミング状態の冷媒とオイル４８が摺動面を直ちに覆うので油膜切れになることがない。従って、圧縮機１においては再起動の直後でも潤滑不良になる恐れがない。
【００３４】
フォーミング状態の冷媒とオイル４８による潤滑は、圧縮機１の再起動後の短時間内に行われるものであって、圧縮機１が定常的な運転状態になると戻り冷媒に含まれているオイルが冷媒と共に斜板室２２を通過して流れるので、そのオイルによって摺動面等が潤滑される。また、オイル溜め室３６にも、前述のような作用によって一定量のオイルが多量の冷媒を溶存している状態で貯留される。
【００３５】
図示実施例は斜板型の冷媒圧縮機１に関するものであるが、以上の説明から、本発明を斜板型圧縮機以外の圧縮機に適用可能であることは明らかである。
【図面の簡単な説明】
【図１】本発明の実施例である斜板型圧縮機を示す縦断面図である。
【図２】図１のＩＩ−ＩＩ線における横断側面図である。
【図３】この圧縮機が接続される空調装置の冷凍サイクルを示す概念図である。
【図４】図１の一部を拡大して示す断面図である。
【図５】ブロ―バイガスと共に斜板室へ押し出されるオイルを示す断面図である。
【図６】オイル溜め室へ潤滑オイルを貯留する作用を説明する断面図である。
【図７】図６の横断側面図である。
【図８】オイル溜め室に貯留された潤滑オイルが冷却される状態を示す断面図である。
【図９】オイル溜め室からフォーミング状態の潤滑オイルが吹き出す作用を説明する断面図である。
【符号の説明】
１…斜板型の冷媒圧縮機
８…リヤシリンダ
９…リヤバルブプレート
１０…リヤハウジング
１５…斜板
１８，１９…シリンダボア
２０…ピストン
２１…シュー
２２…斜板室
３６…オイル溜め室
３７…外壁
３８…開口
４０…通路
４３…オイル受け溝
４５…押し出されたオイル
４６…流入するオイル
４７…オイル溜め室に溜まったオイル
４８…フォーミング状態の冷媒とオイル
【図１】
2004308629.tif 000003
【図２】
2004308629.tif 000004
【図３】
2004308629.tif 000005
【図４】
2004308629.tif 000006
【図５】
2004308629.tif 000007
【図６】
2004308629.tif 000008
【図７】
2004308629.tif 000009
【図８】
2004308629.tif 000010
【図９】
2004308629.tif 000011